(57)【要約】【課題】贈り主と受け主との間でのコミュニケーションを支援する電子カタログシステム及びプログラムを提供する。【解決手段】贈り主Ａが依頼した複数の商品を掲載した電子カタログ２１Ｘを、受け主Ｘに送信する電子カタログシステム１００は、電子カタログ２１Ｘを記憶する電子カタログ記憶部２１と、贈り主Ａの端末５Ａからの送信依頼データに基づいて、電子カタログ２１Ｘを、受け主Ｘの端末５Ｘに送信する電子カタログ送信部１３と、端末５Ａ及び端末５Ｘのいずれからも電子カタログ２１Ｘに関連したメッセージを受信するメッセージ受信部３１と、メッセージ領域４１Ｘを作成するメッセージ領域作成部３２と、メッセージ受信部３１により受信したメッセージを、電子カタログ２１Ｘに対応付けてメッセージ領域４１Ｘに登録するメッセージ登録部３３とを備える。【選択図】図１
2014203439.tif 000002
【特許請求の範囲】
【請求項１】
贈り主が依頼した複数の商品を掲載した電子カタログを、受け主に送信する電子カタログシステムであって、
電子カタログを記憶する電子カタログ記憶部と、
贈り主端末からの送信依頼データに基づいて、電子カタログを、受け主端末に送信する電子カタログ送信部と、
前記贈り主端末及び前記受け主端末のいずれからも前記電子カタログに関連したメッセージを受信するメッセージ受信部と、
メッセージ記憶領域を作成するメッセージ領域作成部と、
前記メッセージ受信部により受信した前記メッセージを、前記電子カタログに対応付けて前記メッセージ記憶領域に登録するメッセージ登録部と、
を備えること、
を特徴とする電子カタログシステム。
【請求項２】
請求項１に記載の電子カタログシステムにおいて、
贈り主端末から１又は複数の贈り主と受け主とに関するグルーピングデータを、前記送信依頼データに含んで受信する依頼データ受信部と、
前記依頼データ受信部により受信した前記グルーピングデータを、前記電子カタログに対応付けて記憶するグループ記憶部と、
を備え、
前記メッセージ受信部が、端末から前記電子カタログに関連したメッセージを受信したときに、前記メッセージ登録部は、受信した前記メッセージの送信者が前記グルーピングデータに含まれる場合に、受信したメッセージを、前記メッセージ記憶領域に登録すること、
を特徴とする電子カタログシステム。
【請求項３】
請求項１又は請求項２に記載の電子カタログシステムにおいて、
前記電子カタログが表示されている端末から前記電子カタログに関するメッセージ閲覧依頼データを受信する閲覧依頼受信部と、
前記閲覧依頼受信部により受信した前記メッセージ閲覧依頼データに対応した電子カタログに関するメッセージを、その端末で閲覧可能にする閲覧許可部と、
を備えること、
を特徴とする電子カタログシステム。
【請求項４】
請求項２に記載の電子カタログシステムにおいて、
前記電子カタログが表示されている端末から前記電子カタログに関するメッセージ閲覧依頼データを受信する閲覧依頼受信部と、
前記閲覧依頼受信部により受信した前記メッセージ閲覧依頼データの送信者が前記グルーピングデータに含まれるか否かを判断する送信者判断部と、
前記送信者判断部により前記メッセージ閲覧依頼データの送信者が前記グルーピングデータに含まれると判断された場合に、受信した前記メッセージ閲覧依頼データに対応した電子カタログに関するメッセージを、その端末で閲覧可能にする閲覧許可部と、
を備えること、
を特徴とする電子カタログシステム。
【請求項５】
請求項１から請求項４までのいずれかに記載の電子カタログシステムにおいて、
贈り主端末から電子カタログの作成依頼データを受信して、前記作成依頼データに対応した電子カタログを、掲載する商品ごとにメッセージを入力可能なシンボルを含んで作成する電子カタログ作成部を備え、
前記電子カタログ記憶部は、前記電子カタログ作成部で作成された前記電子カタログを記憶し、
前記メッセージ受信部は、前記贈り主端末及び前記受け主端末のいずれにおいても前記シンボルが選択されて入力された前記メッセージを、前記商品のデータと共に受信し、
前記メッセージ登録部は、前記メッセージを、前記商品のデータにさらに対応付けて前記メッセージ記憶領域に記憶すること、
を特徴とする電子カタログシステム。
【請求項６】
請求項５に記載の電子カタログシステムにおいて、
前記電子カタログが表示されている端末にて選択された商品に関する商品メッセージ閲覧依頼データを受信する商品メッセージ閲覧依頼受信部と、
前記商品メッセージ閲覧依頼受信部により受信した前記商品メッセージ閲覧依頼データに対応した前記メッセージを、前記メッセージ記憶領域から抽出して、その端末で閲覧可能にする商品メッセージ閲覧許可部と、
を備えること、
を特徴とする電子カタログシステム。
【請求項７】
請求項５又は請求項６に記載の電子カタログシステムにおいて、
前記電子カタログ作成部は、受け主の嗜好に関するデータを含む前記作成依頼データを前記贈り主端末から受信して、前記受け主の嗜好を反映した前記電子カタログを作成すること、
を特徴とする電子カタログシステム。
【請求項８】
請求項５から請求項７までのいずれかに記載の電子カタログシステムにおいて、
前記電子カタログ作成部は、動画データ又は静止画データの画像データと共に前記作成依頼データを前記贈り主端末から受信して、前記画像データを前記電子カタログの一部の領域に配置した前記電子カタログを作成すること、
を特徴とする電子カタログシステム。
【請求項９】
請求項１から請求項８までのいずれかに記載の電子カタログシステムにおいて、
前記電子カタログが表示されている端末にて選択された商品に関する評価依頼データを受信する商品評価依頼受信部と、
前記商品評価依頼受信部により受信した前記評価依頼データに対応した前記商品に関するコメントを、通信ネットワークを介して接続されるサーバから抽出し、抽出したコメントを分析することで、その商品の評価を、その端末で閲覧可能にする商品評価閲覧許可部と、
を備えること、
を特徴とする電子カタログシステム。
【請求項１０】
請求項１から請求項９までのいずれかに記載の電子カタログシステムにおいて、
前記メッセージ受信部、前記メッセージ領域作成部、前記メッセージ登録部及び前記メッセージ記憶領域は、ＳＮＳ（Ｓｏｃｉａｌ  Ｎｅｔｗｏｒｋｉｎｇ  Ｓｅｒｖｉｃｅ）のメッセージサーバが備え、
前記電子カタログ記憶部及び前記電子カタログ送信部は、電子カタログサーバが備えること、
を特徴とする電子カタログシステム。
【請求項１１】
請求項１から請求項１０までのいずれかに記載の電子カタログシステムにおいて、
前記受け主端末から前記電子カタログに掲載の前記商品のうち選択された商品のデータと、その商品の届け先に関する届け先データとを受信する商品届け先データ受信部を備えること、
を特徴とする電子カタログシステム。
【請求項１２】
請求項１から請求項１１までのいずれかに記載の電子カタログシステムとしてコンピュータを機能させることを特徴とするプログラム。
【発明の詳細な説明】
【技術分野】
【０００１】
本発明は、電子カタログシステム及びプログラムに関する。
【背景技術】
【０００２】
従来、誕生日や母の日、父の日、バレンタインデー等の記念日に、プレゼントをする習慣がある。例えば、遠距離のため会ってプレゼントを渡すことができない場合や、相手に選ばせるために、プレゼントを贈る側である贈り主が、プレゼントを受け取る側である受け主に、カタログを使ってプレゼントをすることがされている。
【０００３】
このような、カタログを使ってプレゼントをするための技術は、様々なものが開示されている。
例えば、特許文献１には、商品購入者の依頼により、商品提供対象者の嗜好に合わせてカスタマイズしたカタログを生成し、そのカタログを商品購入者に送って、商品購入者が選んだ商品が、商品提供対象者に送付される技術が開示されている。
特許文献２には、ウェブサイトを用いてシステム上で商品の電子カタログがブラウズ表示され、顧客Ａが顧客Ｂにギフトとして商品を購入できる技術が開示されている。
特許文献３には、電子カタログをユーザプロファイルに合わせて最適化する技術が開示されている。
特許文献４には、利用者端末からギフトサーバにアクセスし、商品情報を選択して作成したカタログを、ギフトサーバから受取利用者端末に送ることで、受取利用者が、受取利用者端末でカタログから商品を選択できる技術が開示されている。
【０００４】
また、商品情報を選択するための情報提供について、例えば、特許文献５には、インターネット上で、商品等を購入する際の参考になる売れ筋情報やお勧め情報を提示する技術が開示されている。
【先行技術文献】
【特許文献】
【０００５】
【特許文献１】特開２００１−３４４５０４号公報
【特許文献２】特表２００４−５３５０１５号公報
【特許文献３】特開２００４−１７８０９４号公報
【特許文献４】特開２００１−２１６３９８号公報
【特許文献５】特許第４９３３００６号公報
【発明の概要】
【発明が解決しようとする課題】
【０００６】
カタログを使ってプレゼントをする場合に、贈り主と受け主との間では、カタログを用いて商品をプレゼントするといった、物のやり取りだけでなく、プレゼントを契機に両者間でコミュニケーションが図れることが望ましい。
【０００７】
本発明は、贈り主と受け主との間でのコミュニケーションを支援する電子カタログシステム及びプログラムを提供することを目的とする。
【課題を解決するための手段】
【０００８】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００９】
第１の発明は、贈り主が依頼した複数の商品を掲載した電子カタログを、受け主に送信する電子カタログシステムであって、電子カタログを記憶する電子カタログ記憶部と、贈り主端末からの送信依頼データに基づいて、電子カタログを、受け主端末に送信する電子カタログ送信部と、前記贈り主端末及び前記受け主端末のいずれからも前記電子カタログに関連したメッセージを受信するメッセージ受信部と、メッセージ記憶領域を作成するメッセージ領域作成部と、前記メッセージ受信部により受信した前記メッセージを、前記電子カタログに対応付けて前記メッセージ記憶領域に登録するメッセージ登録部と、を備えること、を特徴とする電子カタログシステムである。
第２の発明は、第１の発明の電子カタログシステムにおいて、贈り主端末から１又は複数の贈り主と受け主とに関するグルーピングデータを、前記送信依頼データに含んで受信する依頼データ受信部と、前記依頼データ受信部により受信した前記グルーピングデータを、前記電子カタログに対応付けて記憶するグループ記憶部と、を備え、前記メッセージ受信部が、端末から前記電子カタログに関連したメッセージを受信したときに、前記メッセージ登録部は、受信した前記メッセージの送信者が前記グルーピングデータに含まれる場合に、受信したメッセージを、前記メッセージ記憶領域に登録すること、を特徴とする電子カタログシステムである。
第３の発明は、第１の発明又は第２の発明の電子カタログシステムにおいて、前記電子カタログが表示されている端末から前記電子カタログに関するメッセージ閲覧依頼データを受信する閲覧依頼受信部と、前記閲覧依頼受信部により受信した前記メッセージ閲覧依頼データに対応した電子カタログに関するメッセージを、その端末で閲覧可能にする閲覧許可部と、を備えること、を特徴とする電子カタログシステムである。
第４の発明は、第２の発明の電子カタログシステムにおいて、前記電子カタログが表示されている端末から前記電子カタログに関するメッセージ閲覧依頼データを受信する閲覧依頼受信部と、前記閲覧依頼受信部により受信した前記メッセージ閲覧依頼データの送信者が前記グルーピングデータに含まれるか否かを判断する送信者判断部と、前記送信者判断部により前記メッセージ閲覧依頼データの送信者が前記グルーピングデータに含まれると判断された場合に、受信した前記メッセージ閲覧依頼データに対応した電子カタログに関するメッセージを、その端末で閲覧可能にする閲覧許可部と、を備えること、を特徴とする電子カタログシステムである。
第５の発明は、第１の発明から第４の発明までのいずれかの電子カタログシステムにおいて、贈り主端末から電子カタログの作成依頼データを受信して、前記作成依頼データに対応した電子カタログを、掲載する商品ごとにメッセージを入力可能なシンボルを含んで作成する電子カタログ作成部を備え、前記電子カタログ記憶部は、前記電子カタログ作成部で作成された前記電子カタログを記憶し、前記メッセージ受信部は、前記贈り主端末及び前記受け主端末のいずれにおいても前記シンボルが選択されて入力された前記メッセージを、前記商品のデータと共に受信し、前記メッセージ登録部は、前記メッセージを、前記商品のデータにさらに対応付けて前記メッセージ記憶領域に記憶すること、を特徴とする電子カタログシステムである。
第６の発明は、第５の発明の電子カタログシステムにおいて、前記電子カタログが表示されている端末にて選択された商品に関する商品メッセージ閲覧依頼データを受信する商品メッセージ閲覧依頼受信部と、前記商品メッセージ閲覧依頼受信部により受信した前記商品メッセージ閲覧依頼データに対応した前記メッセージを、前記メッセージ記憶領域から抽出して、その端末で閲覧可能にする商品メッセージ閲覧許可部と、を備えること、を特徴とする電子カタログシステムである。
第７の発明は、第５の発明又は第６の発明の電子カタログシステムにおいて、前記電子カタログ作成部は、受け主の嗜好に関するデータを含む前記作成依頼データを前記贈り主端末から受信して、前記受け主の嗜好を反映した前記電子カタログを作成すること、を特徴とする電子カタログシステムである。
第８の発明は、第５の発明から第７の発明までのいずれかの電子カタログシステムにおいて、前記電子カタログ作成部は、動画データ又は静止画データの画像データと共に前記作成依頼データを前記贈り主端末から受信して、前記画像データを前記電子カタログの一部の領域に配置した前記電子カタログを作成すること、を特徴とする電子カタログシステムである。
第９の発明は、第１の発明から第８の発明までのいずれかの電子カタログシステムにおいて、前記電子カタログが表示されている端末にて選択された商品に関する評価依頼データを受信する商品評価依頼受信部と、前記商品評価依頼受信部により受信した前記評価依頼データに対応した前記商品に関するコメントを、通信ネットワークを介して接続されるサーバから抽出し、抽出したコメントを分析することで、その商品の評価を、その端末で閲覧可能にする商品評価閲覧許可部と、を備えること、を特徴とする電子カタログシステムである。
第１０の発明は、第１の発明から第９の発明までのいずれかの電子カタログシステムにおいて、前記メッセージ受信部、前記メッセージ領域作成部、前記メッセージ登録部及び前記メッセージ記憶領域は、ＳＮＳ（Ｓｏｃｉａｌ  Ｎｅｔｗｏｒｋｉｎｇ  Ｓｅｒｖｉｃｅ）のメッセージサーバが備え、前記電子カタログ記憶部及び前記電子カタログ送信部は、電子カタログサーバが備えること、を特徴とする電子カタログシステムである。
第１１の発明は、第１の発明から第１０の発明までのいずれかの電子カタログシステムにおいて、前記受け主端末から前記電子カタログに掲載の前記商品のうち選択された商品のデータと、その商品の届け先に関する届け先データとを受信する商品届け先データ受信部を備えること、を特徴とする電子カタログシステムである。
【００１０】
第１２の発明は、第１の発明から第１１の発明までのいずれかの電子カタログシステムとしてコンピュータを機能させることを特徴とするプログラムである。
【発明の効果】
【００１１】
本発明によれば、贈り主と受け主との間でのコミュニケーションを支援する電子カタログシステム及びプログラムを提供することができる。
【図面の簡単な説明】
【００１２】
【図１】第１実施形態に係る電子カタログシステムの全体構成及びサーバの機能ブロックを示す図である。
【図２】第１実施形態に係る端末に表示されたメニュー画面を示す図である。
【図３】第１実施形態に係る端末での電子カタログ作成処理のフローチャートである。
【図４】第１実施形態に係る端末の表示例を示す図である。
【図５】第１実施形態に係る端末の表示例を示す図である。
【図６】第１実施形態に係る電子カタログサーバでの電子カタログ作成処理のフローチャートである。
【図７】第１実施形態に係る端末の表示例を示す図である。
【図８】第１実施形態に係る電子カタログシステムでのメッセージ閲覧処理のフローチャートである。
【図９】第１実施形態に係る電子カタログシステムでのメッセージ登録処理のフローチャートである。
【図１０】第２実施形態に係る電子カタログシステムの全体構成及びサーバの機能ブロックを示す図である。
【図１１】第２実施形態に係る端末の表示例を示す図である。
【図１２】第２実施形態に係る電子カタログシステムでのメッセージ閲覧処理のフローチャートである。
【図１３】第２実施形態に係る電子カタログシステムでのメッセージ登録処理のフローチャートである。
【図１４】第２実施形態に係る電子カタログシステムでの評価閲覧処理のフローチャートである。
【発明を実施するための形態】
【００１３】
以下、本発明を実施するための形態について、図を参照しながら説明する。なお、これは、あくまでも一例であって、本発明の技術的範囲はこれに限られるものではない。
（第１実施形態）
＜電子カタログシステム１００の全体構成＞
図１は、第１実施形態に係る電子カタログシステム１００の全体構成及び各サーバの機能ブロックを示す図である。
電子カタログシステム１００は、贈り主の端末５Ａ（贈り主端末）からの依頼に基づいて、電子カタログサーバ１が作成した電子カタログを、受け主の端末５Ｘ（受け主端末）に送信する。そして、電子カタログシステム１００は、電子カタログの中から選択された商品データ（商品には、役務提供用のサービスチケットなども含む。以下同じ。）を、端末５Ｘから受信する。電子カタログシステム１００は、選択された商品の発送手配を行うことで、受け主が電子カタログ内の商品を、プレゼントとして受け取れる。また、電子カタログシステム１００は、電子カタログを介して、贈り主と受け主との間での様々なメッセージ交換を支援する。
なお、電子カタログとは、商品が紹介されたカタログ状の電子データをいう。電子カタログは、電子カタログサーバ１に記憶され、端末５から閲覧可能な電子データである。
【００１４】
電子カタログシステム１００は、電子カタログサーバ１と、メッセージサーバ３と、端末５（５Ａ〜５Ｃ，５Ｘ）とを備えている。電子カタログサーバ１と、メッセージサーバ３と、端末５とは、通信ネットワークＮとを介して通信可能となっている。通信ネットワークＮとしては、インターネットや携帯電話通信網などが挙げられる。
以降の例では、端末５Ａのユーザ（以下、贈り主Ａという。）が、端末５Ｂ及び端末５Ｃのユーザ（以下、贈り主Ｂ，Ｃという。）と共同で、端末５Ｘのユーザ（以下、受け主Ｘという。）に誕生日のプレゼントを贈る場合を説明する。この場合、贈り主Ａが代表者として、端末５Ａを用いた処理を行うものとする。
【００１５】
＜電子カタログサーバ１＞
電子カタログサーバ１は、電子カタログの作成から送信までの処理を行う。また、電子カタログサーバ１は、電子カタログの商品に関するデータを端末５Ｘから受信した場合に、さらにその商品の届け先の住所等を受信して、商品に関するデータに対応する商品の発送を、他のシステム（図示せず）に依頼する。
電子カタログサーバ１は、制御部１０と、記憶部２０とを備える。
制御部１０は、電子カタログサーバ１の全体を制御する中央処理装置（ＣＰＵ）である。制御部１０は、記憶部２０に記憶されているオペレーティングシステム（ＯＳ）やアプリケーションプログラムを適宜読み出して実行することにより、上述したハードウェアと協働し、各種機能を実行する。
【００１６】
制御部１０は、依頼データ受信部１１と、電子カタログ作成部１２と、電子カタログ送信部１３と、メッセージサーバ指示部１５と、届先データ受信部１７（商品届け先データ受信部）とを備える。
依頼データ受信部１１は、端末５から予算と受け主の嗜好に関するデータとを含む電子カタログの作成依頼データを受信する。また、依頼データ受信部１１は、端末５から受け主へ電子カタログの送信を依頼する送信依頼データを受信する。今回の例では、依頼データ受信部１１は、端末５Ａから、贈り主の予算と受け主Ｘの嗜好に関するデータとを含む電子カタログ２１Ｘの作成依頼データと、受け主Ｘへ電子カタログ２１Ｘの送信を依頼する送信依頼データとを受信する。送信依頼データは、贈り主Ａ〜Ｃと、受け主Ｘとに関するグルーピングデータを含む。
ここで、贈り主は、上述したように、贈り主Ａ〜Ｃであり、複数（この例では、３人）である。そして、贈り主Ａは、端末５Ａにより、実際に電子カタログサーバ１にアクセスする者である。また、贈り主Ｂ，Ｃは、贈り主Ａと共同でプレゼントを贈る共同贈り主である。受け主は、Ｘである。よって、この場合には、グルーピングデータは、贈り主Ａ，Ｂ，Ｃ、受け主Ｘという内容を含むデータである。
【００１７】
電子カタログ作成部１２は、作成依頼データを受け、贈り主の予算と受け主の嗜好に関するデータに基づいて、端末５により指定された動画（画像データ）を、表紙（一部の領域）に配置した電子カタログを作成する。ここでは、電子カタログ作成部１２は、贈り主の予算と受け主Ｘの嗜好に合わせて紹介する商品が選択された電子カタログ２１Ｘを作成する。また、電子カタログ作成部１２は、端末５Ａにより指定された動画（画像データ）を、電子カタログ２１Ｘの表紙（一部の領域）に配置した電子カタログ２１Ｘを作成する。
電子カタログ送信部１３は、電子カタログ作成部１２により作成された電子カタログを、送信依頼データに基づいて指定された端末５に送信する。ここでは、電子カタログ送信部１３は、電子カタログ作成部１２により作成された電子カタログ２１Ｘを、端末５Ｘに送信する。
メッセージサーバ指示部１５は、電子カタログを介してメッセージデータを受信した場合に、メッセージサーバ３にそのデータを送信したりする。ここでは、メッセージサーバ指示部１５は、電子カタログ２１Ｘを介してメッセージデータを受信すると、メッセージサーバ３にそのデータを送信する。
届先データ受信部１７は、電子カタログ内で選択された商品を特定するデータと、その商品の届け先に関する届け先データとを、受け主の端末５から受信する。ここでは、届先データ受信部１７は、電子カタログ２１Ｘ内で選択された商品を特定するデータと、その商品の届け先に関する届け先データとを、端末５Ｘから受信する。
【００１８】
記憶部２０は、制御部１０が各種の処理を実行するために必要なプログラム、データ等を記憶するためのハードディスク、半導体メモリ素子等の記憶領域である。
記憶部２０は、電子カタログ記憶部２１と、グループ記憶部２２とを備える。
電子カタログ記憶部２１は、複数の電子カタログ２１Ｘ，２１Ｙ，・・・を記憶する記憶領域である。
グループ記憶部２２は、グルーピングデータが記憶された記憶領域である。例えば、グループ記憶部２２は、電子カタログ記憶部２１に記憶された各電子カタログ２１Ｘ，２１Ｙ，・・・に対応付けて、各々のグルーピングデータを記憶する。
【００１９】
＜メッセージサーバ３＞
メッセージサーバ３は、各々の電子カタログ２１Ｘ，２１Ｙ，・・・を介した各端末５間でのメッセージの管理を行う。ここで、メッセージとは、例えば、電子カタログ２１Ｘ全般や、その中に掲載された商品、プレゼントに関する感想等の贈り主Ａ〜Ｃと受け主Ｘとの文字によるやりとりを含むものをいう。
メッセージサーバ３は、制御部３０と、記憶部４０とを備える。
制御部３０は、メッセージサーバ３の全体を制御するＣＰＵである。制御部３０は、記憶部４０に記憶されているＯＳやアプリケーションプログラムを適宜読み出して実行することにより、上述したハードウェアと協働し、各種機能を実行する。
制御部３０は、メッセージ受信部３１と、メッセージ領域作成部３２と、メッセージ登録部３３と、閲覧依頼受信部３５と、送信者判断部３６と、閲覧許可部３７とを備える。
【００２０】
メッセージ受信部３１は、各電子カタログ２１Ｘ，２１Ｙ，・・・に関連付けられたメッセージを、電子カタログサーバ１を介して端末５から受信する。例えば、メッセージ受信部３１は、電子カタログ２１Ｘに関連付けられたメッセージを、端末５Ａ〜５Ｃ、５Ｘから受信する。
メッセージ領域作成部３２は、各電子カタログ２１Ｘ，２１Ｙ，・・・に対応して、各メッセージ領域４１Ｘ，４１Ｙ，・・・（メッセージ記憶領域）を作成する。例えば、メッセージ領域作成部３２は、電子カタログ２１Ｘに対応するメッセージ領域４１Ｘを作成する。
メッセージ登録部３３は、作成したメッセージ領域４１Ｘ，４１Ｙ，・・・に、受信した各電子カタログ２１Ｘ，２１Ｙ，・・・に関連付けられたメッセージを登録する。例えば、メッセージ登録部３３は、メッセージ領域４１Ｘに、電子カタログ２１Ｘに関連付けられたメッセージを登録する。
【００２１】
閲覧依頼受信部３５は、電子カタログサーバ１を介して端末５から各電子カタログ２１Ｘ，２１Ｙ，・・・に関するメッセージ閲覧依頼データを受信する。
送信者判断部３６は、受信したメッセージ閲覧依頼データの送信者が、グルーピングデータに含まれる者であるか否かを判断する。
閲覧許可部３７は、各電子カタログ２１Ｘ，２１Ｙ，・・・に対応したメッセージ領域４１Ｘ，４１Ｙ，・・・のメッセージを、メッセージ閲覧依頼データを送信した端末５に対して閲覧可能にする。
【００２２】
記憶部４０は、制御部３０が各種の処理を実行するために必要なプログラム、データ等を記憶するためのハードディスク、半導体メモリ素子等の記憶領域である。
記憶部４０は、メッセージ記憶部４１を備える。
メッセージ記憶部４１は、電子カタログ２１Ｘ，２１Ｙ，・・・ごとに、その電子カタログ２１Ｘ，２１Ｙ，・・・に関連するメッセージ領域４１Ｘ，４１Ｙ，・・・を記憶する。例えば、メッセージ領域４１Ｘは、電子カタログ２１Ｘに対応して、送信者と、メッセージとを対応付けて記憶する。
【００２３】
なお、本発明でいうコンピュータとは、制御部、記憶装置等を備えた情報処理装置をいい、電子カタログサーバ１、メッセージサーバ３は、各々制御部１０，３０、記憶部２０，４０等を備えた情報処理装置であり、本発明のコンピュータの概念に含まれる。
【００２４】
＜端末５＞
贈り主Ａ〜Ｃの端末５Ａ〜５Ｃ及び受け主Ｘの端末５Ｘは、例えば、パーソナルコンピュータ（ＰＣ）や、スマートフォンに代表される携帯情報端末である。端末５Ａ〜５Ｃ及び端末５Ｘは、制御部、記憶部、表示部、入力部（いずれも図示せず）を備える。また、端末５Ａは、動画を撮影するための撮影部（図示せず）を備える。表示部はタッチパネルディスプレイを備える。
通信ネットワークＮは、電子カタログサーバ１と、メッセージサーバ３と、端末５（５Ａ〜５Ｃ，５Ｘ）との間のネットワークである。
【００２５】
＜贈り主Ａの処理＞
次に、贈り主Ａの端末５Ａでのメニューについて説明する。
図２は、第１実施形態に係る端末５Ａに表示されたメニュー画面６０を示す図である。
端末５Ａは、通信ネットワークＮを介して予めアプリ配信サーバ（図示せず）に接続して、アプリ配信サーバから本サービスを受けるためのアプリケーションプログラム（以下、ギフトアプリという。）をダウンロードしておく。ここで、アプリ配信サーバは、端末５にダウンロードして使用するアプリケーションプログラムを複数記憶したサーバである。端末５Ａの記憶部には、ギフトアプリが記憶される。
そして、贈り主Ａは、端末５Ａの該当のアイコンをタップ（選択）することで、端末５Ａの制御部は、ギフトアプリを起動して電子カタログサーバ１にログインして、メニュー画面６０を表示する。
【００２６】
メニュー画面６０は、新着情報部６１と、イベント部６２と、メニュー部６３とにより構成されている。
端末５Ａの制御部は、贈り主Ａに関する情報を、新着情報部６１に表示する。
端末５Ａの制御部は、贈り主Ａにより予め入力された友達の誕生日等のイベントを、カレンダー形式でイベント部６２に表示する。この例では、端末５Ａの制御部は、本日日付をカレンダーの左端にして印（この例では、斜線）を付し、本日以降１週間分のイベントを表示している。
端末５Ａの制御部は、電子カタログ６３ａ、友達情報６３ｂ、動画６３ｃの各メニューを、メニュー部６３に表示する。
【００２７】
電子カタログ６３ａは、電子カタログの作成や確認を行うためのメニューである。
贈り主Ａにより電子カタログ６３ａがタッチ操作して選択された後に、電子カタログの作成のメニュー（図示せず）が選択されると、端末５Ａの制御部は、後述する電子カタログ作成処理を行う。
また、贈り主Ａにより電子カタログ６３ａが選択された後に、電子カタログの確認のメニュー（図示せず）が選択されると、端末５Ａの制御部は、贈り主Ａが過去に贈り主又は受け主になっている電子カタログの一覧を表示する。そして、贈り主Ａにより電子カタログの一覧のうちの１つが選択されることで、端末５Ａの制御部は、電子カタログサーバ１に記憶された選択対象の電子カタログを表示する。
【００２８】
友達情報６３ｂは、友達の情報を登録、編集、削除するためのメニューである。友達の情報には、友達の名前やニックネーム、電子メールアドレス、誕生日等を含む。また、友達の情報に、住所や電話番号は、含まれなくてよい。
贈り主Ａにより友達情報６３ｂが選択されることで、端末５Ａの制御部は、友達の情報を登録する画面を表示する。そして、友達等の誕生日等のイベントが登録されると、端末５Ａの制御部は、登録されたイベントを、イベント部６２に表示する。なお、友達情報の編集や削除は、イベント部６２に表示されたイベントを選択することで、行うこともできる。
動画６３ｃは、動画の撮影や確認を行うためのメニューである。動画の撮影は、端末５Ａの制御部が撮影部を起動させることで行う。端末５Ａの制御部は、撮影された動画データを電子カタログサーバ１に送信することで、動画データが電子カタログサーバ１の記憶部２０に記憶される。電子カタログシステム１００では、動画データを、電子カタログの表紙に配置した電子カタログを作成する。
【００２９】
＜電子カタログ作成処理＞
次に、電子カタログシステム１００を用いた電子カタログ作成処理について説明する。この電子カタログ作成処理では、贈り主Ａが端末５Ａを操作することに応じて、電子カタログサーバ１が行う。まず、端末５Ａでの処理を説明した後に、電子カタログサーバ１での処理を説明する。
＜端末５Ａでの処理＞
図３は、第１実施形態に係る端末５Ａでの電子カタログ作成処理のフローチャートである。
図４及び図５は、第１実施形態に係る端末５Ａの表示例を示す図である。
【００３０】
贈り主Ａがメニュー画面６０から電子カタログ６３ａ（図２）を選択し、電子カタログの作成メニューを選択することで、図３のＳ１０において、端末５Ａの制御部は、電子カタログ作成のメニューを受け付ける。
Ｓ１１において、端末５Ａの制御部は、カレンダー画面６５を表示する。
カレンダー画面６５は、図４（ａ）に示すように、贈り主Ａにより登録されたイベントが、カレンダー形式で表示されたものである。
図３に戻り、贈り主Ａがカレンダー画面６５から該当のイベント（この例では、受け主Ｘの誕生日）を選択することで、Ｓ１２において、端末５Ａの制御部は、イベントの選択を受け付けて、受け主Ｘを特定する。
Ｓ１３において、端末５Ａの制御部は、予算嗜好入力画面６６を表示する。
予算嗜好入力画面６６は、図４（ｂ）に示すように、プレゼントの予算の範囲及び受け主Ｘの嗜好を入力できるものである。受け主Ｘの嗜好は、例えば、性別、年齢、好みのカテゴリを選択して入力できるようになっており、贈り主Ａが簡易に入力できるようになっている。
【００３１】
図３に戻り、Ｓ１４において、贈り主Ａが予算嗜好入力画面６６に予算及び嗜好を入力して「次へ」ボタンを選択することで、端末５Ａの制御部は、入力された予算及び嗜好データを電子カタログサーバ１に送信する。電子カタログサーバ１では、この予算及び嗜好データに基づいて電子カタログを作成する。
Ｓ１５において、端末５Ａの制御部は、電子カタログサーバ１から電子カタログ見本を受信して表示する。電子カタログ見本とは、商品が掲載されているが、表紙のない電子カタログである。贈り主Ａは、表示された電子カタログ見本から、商品の選択内容がよいか否かを確認する（Ｓ１５ａ）。商品の選択内容を変更したい場合（Ｓ１５ａ：ＮＯ）には、贈り主Ａが変更を指示することで、端末５Ａの制御部は、Ｓ１３に戻って予算嗜好入力画面６６を表示し、贈り主Ａは、予算の範囲及び受け主Ｘの嗜好を入力し直す。
【００３２】
商品の選択内容がよい場合（Ｓ１５ａ：ＹＥＳ）には、Ｓ１６において、端末５Ａの制御部は、友達リスト画面６７に友達リストを表示させる。
友達リスト画面６７は、図４（ｃ）に示すように、贈り主Ａの友達として登録されているメンバーを一覧表示したものである。贈り主Ａは、友達リスト画面６７から共同贈り主Ｂ，Ｃを選択することができる。
友達リスト画面６７の「次へ」ボタンが選択されたことで、図３に戻り、Ｓ１７において、端末５Ａの制御部は、確認画面６８から最終確認データ（決済方法、送付日、動画等）の入力を受け付ける。
確認画面６８は、図４（ｄ）に示すように、これまでに選択した内容が確認データとして表示され、決済方法や、送付日等の入力をするためのものである。また、確認画面６８には、動画を選択する「動画選択」ボタンが表示されている。さらに、確認画面６８には、受け主Ｘに送付する電子カタログを作成するための「作成」ボタンが表示されている。
確認画面６８の「動画選択」ボタンが選択されたことで、端末５Ａの制御部は、電子カタログサーバ１に動画一覧を要求し、図３に戻り、Ｓ１８において、端末５Ａの制御部は、電子カタログサーバ１から動画一覧データを受信して表示させる。贈り主Ａは、動画一覧から電子カタログの表紙に表示させるための動画を選択する。
確認画面６８の「作成」ボタンが選択されたことで、Ｓ１９において、端末５Ａの制御部は、電子カタログの作成依頼データを、電子カタログサーバ１に対して送信する。
【００３３】
Ｓ２０において、端末５Ａの制御部は、電子カタログサーバ１から電子カタログ確認画面６９を受信して表示する。
電子カタログ確認画面６９は、図５（ａ）に示すように、電子カタログサーバ１の電子カタログ２１Ｘを表示させるためのリンク情報としてＵＲＩ（Ｕｎｉｆｏｒｍ  Ｒｅｓｏｕｒｃｅ  Ｉｄｅｎｔｉｆｉｅｒ）と、「送信」ボタンとを含む。電子カタログ確認画面６９において、贈り主ＡによりＵＲＩが選択されることで、端末５Ａの制御部は、電子カタログサーバ１の電子カタログ２１Ｘを閲覧可能に表示する。
図５（ｂ）に、端末５Ａで閲覧している電子カタログ２１Ｘの例を示す。端末５Ａは、表紙に動画７０ａを配置した電子カタログ２１Ｘを表示している。電子カタログ２１Ｘは、紙のカタログと同様に、様々な商品が掲載されたページからなる。そして、ページをめくる操作を受け付けて、端末５Ａの制御部は、ページをめくる処理をして、次のページを表示する。なお、端末５Ａは、電子カタログ２１Ｘをダウンロードして表示してもよいし、ブラウズして電子カタログサーバ１に記憶されたものを表示してもよい。
電子カタログ確認画面６９の「登録」ボタンが選択されたことで、図３に戻り、Ｓ２１において、端末５Ａの制御部は、電子カタログ２１Ｘの送付依頼データを、電子カタログサーバ１に対して送信する。
Ｓ２２において、端末５Ａの制御部は、電子カタログサーバ１が受け付けたことを示す完了データを受信して表示する。その後、端末５Ａの制御部は、本処理を終了する。
【００３４】
＜電子カタログサーバ１での処理＞
次に、電子カタログサーバ１での処理について説明する。
図６は、第１実施形態に係る電子カタログサーバ１での電子カタログ作成処理のフローチャートである。
Ｓ３０において、電子カタログサーバ１の制御部１０（依頼データ受信部１１）は、端末５Ａから予算及び嗜好データ（作成依頼データ）を受信する。
Ｓ３１において、制御部１０（電子カタログ作成部１２）は、予算及び嗜好データに基づいて、複数の商品を選択して、電子カタログ見本を作成する。
Ｓ３２において、制御部１０は、作成した電子カタログ見本を、端末５Ａに送信する。
Ｓ３３において、制御部１０は、端末５Ａから動画一覧の要求を受信することで、動画一覧データを端末５Ａに送信する。
【００３５】
Ｓ３４において、制御部１０（依頼データ受信部１１）は、電子カタログの作成依頼データを受信する。作成依頼データには、選択された動画のデータ名、共同贈り主、決済方法や、送付日等を含む。
Ｓ３５において、制御部１０は、動画のデータ名から動画データを抽出する。そして、制御部１０（電子カタログ作成部１２）は、その動画データを表紙にした電子カタログ２１Ｘを作成する。作成した電子カタログ２１Ｘは、メッセージアイコン７１ｂ（後述する）を含む。
Ｓ３６において、制御部１０は、作成した電子カタログ２１Ｘの保存先を示すＵＲＩを含んだ電子カタログ確認画面のデータを、端末５Ａに送信する。
Ｓ３７において、制御部１０（依頼データ受信部１１）は、端末５Ａから電子カタログの送付依頼データを受信する。
【００３６】
Ｓ３８において、制御部１０は、電子カタログ２１Ｘに対応し、贈り主Ａ〜Ｃと受け主Ｘとの関係をデータ化したグルーピングデータを、グループ記憶部２２に記憶させる。また、制御部１０は、電子カタログの送付依頼データを受け付けたことを示す完了データを、端末５Ａに送信する。
Ｓ３９において、制御部１０（電子カタログ送信部１３）は、送付依頼に対応した電子カタログ２１Ｘの保存先を示すＵＲＩを含んだ電子メールを、受け主Ｘの端末５Ｘに送信する。この電子メールの送信は、送付日が到来した場合に行ってもよいし、即時に行って送付日が到来したら、電子カタログ２１Ｘを閲覧可能にしてもよい。
【００３７】
このようにすることで、受け主Ｘは、受け主Ｘのイベントに合わせてその受け主Ｘの嗜好に合った電子カタログ２１Ｘを受け取ることができる。なお、制御部１０は、端末５Ｘに送信したことを、端末５Ａ〜５Ｃに電子メールで送信してもよい。そのようにすることで、贈り主Ａのみならず、共同贈り主Ｂ，Ｃも、電子カタログ２１Ｘが受け主Ｘに送信されたことを知ることができる。
【００３８】
＜受け主Ｘの処理＞
次に、受け主Ｘの処理について説明する。
受け主Ｘは、電子カタログサーバ１が送信した電子メールを、端末５Ｘが受信して開くことで、電子カタログによるプレゼントがあることを知ることができる。電子メールには、ギフトアプリをダウンロードするためのリンク情報を含む。
受け主Ｘは、ギフトアプリを端末５Ｘにダウンロードしていない場合には、電子メールのリンク情報を選択する。端末５Ｘの制御部は、電子メールのリンク情報からアプリ配信サーバ（図示せず）に接続して、ギフトアプリをダウンロードする。
そして、受け主Ｘが端末５Ｘの該当のアイコンをタップすると、端末５Ｘの制御部は、ギフトアプリを起動して、電子カタログサーバ１にログインし、メニュー画面６０（図２参照）を表示する。
メニュー画面６０には、新着情報部６１に、プレゼントが届けられたことを示す新着情報が表示される。そして、受け主Ｘが該当の新着情報を選択すると、端末５Ｘの制御部は、新着情報に対応した電子カタログ２１Ｘを、電子カタログサーバ１から受信して表示する（図５（ｂ）参照）。
【００３９】
＜商品注文処理＞
次に、電子カタログ２１Ｘの閲覧及び商品注文処理について説明する。
図７は、第１実施形態に係る端末５の表示例を示す図である。
受け主Ｘは、端末５Ｘに表示された電子カタログ２１Ｘを閲覧する。受け主Ｘが電子カタログ２１Ｘの表紙をめくる操作を行うことで、端末５Ｘの制御部は、次のページを出力する処理を行い、次のページを表示させる。
図７（ａ）は、電子カタログ２１Ｘの商品掲載ページを示す。商品掲載ページは、商品に関する情報と、メッセージアイコン７１ｂ（シンボル）とからなる。メッセージアイコン７１ｂは、各商品掲載ページに１つ設定されており、電子カタログ２１Ｘに対応している。また、メッセージアイコン７１ｂには、電子カタログサーバ１のＵＲＩと、電子カタログ２１Ｘを特定可能な識別情報とを含むデータが関連付けられている。受け主Ｘは、メッセージアイコン７１ｂを選択することで、図７（ｂ）に示すように、メッセージを確認したり、登録したりできる。
また、商品掲載ページは、商品に関する情報として、商品の画像や、メーカ名、商品名等を掲載している。また、商品掲載ページには、各商品に対応して、「申込」のボタンが配置されている。受け主Ｘが欲しい商品の「申込」ボタンを選択することで、電子カタログシステム１００では、商品申込をすることができる。
【００４０】
ここで、受け主Ｘがある商品の「申込」のボタンを選択した場合に、端末５Ｘの制御部は、商品申込として、図７（ｃ）に示す送付先情報入力画面７５を表示させる。受け主Ｘは、名前、住所、電話番号等、商品の配送に必要な情報を、送付先情報入力画面７５に入力する。そして、端末５Ｘの制御部は、送付先情報入力画面７５の「申込」ボタンの選択を受け付けて、申込みがされた商品を特定する情報と、送付先情報とを含んだ商品届け先データを、電子カタログサーバ１に送信する。
電子カタログサーバ１の制御部１０（届先データ受信部１７）は、商品届け先データを受信する。電子カタログサーバ１は、受信した商品届け先データを他のシステム（図示せず）に送信することで、商品の発送のための処理を他のシステムに行わせることができる。
そのようにすることで、受け主Ｘは、希望する商品を、指定の住所で受け取ることができる。贈り主Ａは、受け主Ｘの住所等を知らなくても、プレゼントを贈ることができる。また、受け主Ｘは、贈り主Ａに自らの住所等を教える必要なく、プレゼントを受け取ることができる。
【００４１】
＜メッセージ処理＞
電子カタログシステム１００では、以下に説明するように、贈り主Ａ〜Ｃ及び受け主Ｘが、電子カタログ２１Ｘを介してメッセージを共有することができる。
この場合、端末５Ａ〜５Ｃ及び端末５Ｘのいずれの端末５においても、端末５に表示されている電子カタログ２１Ｘからメッセージアイコン７１ｂ（図７参照）を選択することで、メッセージを共有できる。
＜メッセージ閲覧処理＞
ここで、端末５でメッセージを閲覧するメッセージ閲覧処理について説明する。
図８は、第１実施形態に係る電子カタログシステム１００でのメッセージ閲覧処理のフローチャートである。
端末５のユーザは、メッセージを閲覧する場合には、端末５を操作してメッセージアイコン７１ｂを選択する。端末５の制御部は、メッセージアイコン７１ｂの選択を受け付けることで、メッセージ閲覧依頼データを電子カタログサーバ１に対して送信する。
Ｓ５０において、電子カタログサーバ１の制御部１０は、端末５からメッセージ閲覧依頼データを受信する。
Ｓ５１において、制御部１０（メッセージサーバ指示部１５）は、受信したメッセージ閲覧依頼データを、メッセージサーバ３に送信する。
【００４２】
Ｓ５２において、メッセージサーバ３の制御部３０は、メッセージ閲覧依頼データを受信する。
Ｓ５３において、メッセージ閲覧依頼データの送信者がグループのメンバーであるか否かを判断する。これは、メッセージ閲覧依頼データの送信者が、その電子カタログ２１Ｘに対応するグルーピングデータに含まれる者（贈り主Ａ〜Ｃ又は受け主Ｘ）であるか否かを判断する。この判断は、電子カタログサーバ１のグループ記憶部２２を参照することで判断できる。なお、メッセージサーバ３は、この判断を電子カタログサーバ１にさせて、電子カタログサーバ１での結果を受信してもよい。メッセージ閲覧依頼データの送信者がグループのメンバーである場合（Ｓ５３：ＹＥＳ）には、制御部３０は、処理をＳ５４に移す。他方、メッセージ閲覧依頼データの送信者がグループのメンバーではない場合（Ｓ５３：ＮＯ）には、制御部３０は、本処理を終了する。この場合、制御部３０は、メッセージ閲覧依頼データの送信者の端末５に、メンバーではないので閲覧できない旨のデータを送信することで、メッセージの閲覧ができない旨を伝えてもよい。
Ｓ５４において、制御部３０は、その電子カタログ２１Ｘのメッセージ領域４１Ｘに記憶されたメッセージを、端末５で閲覧可能にする。その後、制御部３０は、本処理を終了する。
【００４３】
＜メッセージ登録処理＞
次に、端末５から入力されたメッセージを登録するメッセージ登録処理について説明する。メッセージの登録は、図７（ｂ）のメッセージが表示された領域の下側にあるテキストボックスにメッセージを入力し、「登録」ボタンを選択することで、行うことができる。
図９は、第１実施形態に係る電子カタログシステム１００でのメッセージ登録処理のフローチャートである。
端末５のユーザは、メッセージを登録する場合には、端末５を操作して登録したいメッセージを入力する。端末５の制御部は、「登録」ボタンの選択を受け付けることで、入力されたメッセージを電子カタログサーバ１に対して送信する。
Ｓ６０において、電子カタログサーバ１の制御部１０は、端末５からメッセージを受信する。
Ｓ６１において、制御部１０（メッセージサーバ指示部１５）は、受信したメッセージを、メッセージサーバ３に送信する。
【００４４】
Ｓ６２において、メッセージサーバ３の制御部３０は、メッセージを受信する。
Ｓ６３において、メッセージの送信者がグループのメンバーであるか否かを判断する。この判断処理は、図８のＳ５３と同様である。メッセージの送信者がグループのメンバーである場合（Ｓ６３：ＹＥＳ）には、制御部３０は、処理をＳ６４に移す。他方、メッセージの送信者がグループのメンバーではない場合（Ｓ６３：ＮＯ）には、制御部３０は、本処理を終了する。この場合、制御部３０は、メッセージの送信者の端末５に、エラーデータを送信することで、メッセージが登録できない旨を伝えてもよい。
Ｓ６４において、制御部３０は、その電子カタログ２１Ｘに対応するメッセージ領域４１Ｘが作成済であるか否かを判断する。メッセージ領域４１Ｘが作成済である場合（Ｓ６４：ＹＥＳ）には、制御部３０は、処理をＳ６６に移す。他方、メッセージ領域４１Ｘが作成済ではない場合（Ｓ６４：ＮＯ）には、制御部３０は、処理をＳ６５に移す。
Ｓ６５において、制御部３０は、その電子カタログ２１Ｘのメッセージ領域４１Ｘを記憶部４０に作成する。
Ｓ６６において、制御部３０は、その電子カタログ２１Ｘのメッセージ領域４１Ｘに、受信したメッセージを登録する。その後、制御部３０は、本処理を終了する。
【００４５】
このようにすることで、グループ内のメンバーでメッセージを共有できる。複数人の贈り主Ａ〜Ｃと受け主Ｘとの関係において、電子メールを用いたメッセージの共有では、宛先を複数人指定する等、設定が煩雑である。また、電子メールでは、電子メールが到着する度に通知されるので煩わしく、一連の情報をひとまとめに見ることができない。
これに対して、電子カタログシステム１００では、電子カタログ２１Ｘのメッセージ領域４１Ｘを用いてメッセージを共有することで、設定が簡易である。また、メッセージの登録の度に通知されることもなく、一連の情報をひとまとめに見ることができる。
よって、電子カタログシステム１００では、電子カタログによるプレゼントを契機として、コミュニケーションの活性化を図ることができる。
【００４６】
このように、第１実施形態の電子カタログシステム１００によれば、以下のような効果がある。
（１）贈り主Ａからの依頼により電子カタログ２１Ｘを受け主Ｘに送信できる。また、メッセージ領域４１Ｘを作成し、メッセージを端末５Ｘや端末５Ａ〜５Ｃから受信することで、電子カタログ２１Ｘに関連したメッセージを、そのメッセージ領域４１Ｘに記憶できる。
（２）電子カタログに関するメッセージの閲覧依頼データを、電子カタログ２１Ｘが表示されている端末５から受信した場合には、その電子カタログ２１Ｘに対応するメッセージを、端末５から閲覧できるようにする。よって、端末５にて電子カタログ２１Ｘに関するメッセージを閲覧できる。
よって、電子カタログによるプレゼントを契機として、贈り主Ａ〜Ｃと受け主Ｘとの間でコミュニケーションが図れる。
【００４７】
（３）複数の贈り主Ａ〜Ｃの場合には、贈り主Ａが代表者として電子カタログ２１Ｘを受け主Ｘに送信するように依頼ができる。
贈り主Ａ〜Ｃと受け主Ｘとをグループにして、そのグループに含まれるメンバーが送信したメッセージを、電子カタログ２１Ｘに対応付けて登録できる。
よって、グループ内でのみメッセージを登録できる環境を構築できる。
（４）電子カタログに関するメッセージの閲覧依頼データを、電子カタログ２１Ｘが表示されている端末５から受信した場合に、その閲覧依頼データの送信者がグループに含まれることを条件に、その電子カタログ２１Ｘに対応するメッセージを、端末５から閲覧できる。
また、グループ内でのみメッセージを閲覧できる環境を構築できるので、贈り主Ａ〜Ｃと受け主Ｘとに閉じたグループ内で、電子カタログ２１Ｘに関連するメッセージを安全に共有できる。
【００４８】
（５）贈り主Ａからの依頼により、電子カタログに対応してメッセージを入力可能なメッセージアイコン７１ｂを含んだ電子カタログ２１Ｘを作成することができる。端末５では、メッセージアイコン７１ｂを選択してメッセージを入力することで、そのメッセージを受信して、メッセージ領域４１Ｘに電子カタログ２１Ｘに対応付けて記憶できる。
（６）贈り主Ａからの依頼により作成する電子カタログ２１Ｘを、贈り主Ａが入力した受け主Ｘの嗜好を反映したものにできる。
（７）電子カタログ２１Ｘを、動画を表紙にしたものにできる。よって、オリジナルの電子カタログができ、受け主Ｘにサプライズ効果を与えることができる。
【００４９】
（８）端末５Ｘから商品のデータと届け先のデータとを受信することで、商品の発送に必要なデータを受信できる。特に、贈り主Ａ〜Ｃが受け主Ｘの住所を知らない場合でも、端末５Ｘから届け先のデータを受信することで、贈り主Ａ〜Ｃは、電子カタログを使用した贈り物をすることができる。
【００５０】
（第２実施形態）
第１実施形態では、電子カタログ自体にメッセージを関連付け、電子カタログの贈り主及び受け主の間の閉じたグループで、メッセージを共有するものについて説明した。
第２実施形態では、電子カタログに掲載されている商品に関連付けたメッセージを、プレゼントを選ぶ際の参考にできるものを説明する。なお、以降の説明において、上述した第１実施形態と同様の機能を果たす部分には、同一の符号又は末尾に同一の符号を付して、重複する説明を適宜省略する。
＜電子カタログシステム２００の全体構成＞
図１０は、第２実施形態に係る電子カタログシステム２００の全体構成及び各サーバの機能ブロックを示す図である。
電子カタログシステム２００は、電子カタログサーバ２０１と、メッセージサーバ２０３と、端末５（５Ａ〜５Ｃ，５Ｘ）と、外部サーバ２０８とを備えている。電子カタログサーバ２０１と、メッセージサーバ２０３と、端末５と、外部サーバ２０８とは、通信ネットワークＮを介して通信可能となっている。
【００５１】
電子カタログサーバ２０１は、さらに、商品に関する評価情報を分析する。
電子カタログサーバ２０１の制御部２１０は、依頼データ受信部１１と、電子カタログ作成部２１２と、電子カタログ送信部１３と、届先データ受信部１７と、商品評価依頼受信部２１８と、商品評価閲覧許可部２１９とを備える。
電子カタログ作成部２１２は、作成依頼データに基づいて電子カタログ２２１Ｘ，２２１Ｙ，・・・を作成する。
商品評価依頼受信部２１８は、端末５から評価依頼データを受信する。
商品評価閲覧許可部２１９は、商品に関するコメントを外部サーバ２０８やメッセージサーバ２０３から抽出して、分析した結果である評価データを閲覧可能にする。
電子カタログサーバ２０１の記憶部２２０は、電子カタログ記憶部２２１と、グループ記憶部２２とを備える。
電子カタログ記憶部２２１は、複数の電子カタログ２２１Ｘ，２２１Ｙ，・・・が記憶された記憶領域である。例えば、電子カタログ記憶部２２１は、電子カタログ作成部２１２により作成された電子カタログ２２１Ｘを記憶する。
【００５２】
メッセージサーバ２０３は、電子カタログ２２１Ｘ，２２１Ｙ，・・・に掲載されている商品に関する各端末５の間でのメッセージの管理を行う。メッセージサーバ３は、例えば、ＴＷＩＴＴＥＲ（登録商標）や、ＦＡＣＥＢＯＯＫ（登録商標）に代表されるＳＮＳ（Ｓｏｃｉａｌ  Ｎｅｔｗｏｒｋｉｎｇ  Ｓｅｒｖｉｃｅ）のサーバである。
メッセージサーバ２０３の制御部２３０は、メッセージ受信部３１と、メッセージ領域作成部３２と、メッセージ登録部３３と、商品メッセージ閲覧依頼受信部２３５と、商品メッセージ閲覧許可部２３７とを備える。
商品メッセージ閲覧依頼受信部２３５は、端末５から電子カタログ２２１Ｘ，２２１Ｙ，・・・に掲載されている商品に関する商品メッセージ閲覧依頼データを受信する。
商品メッセージ閲覧許可部２３７は、電子カタログ２２１Ｘ，２２１Ｙ，・・・に掲載されている商品に対応したメッセージ記憶部４１のメッセージを、商品メッセージ閲覧依頼データを送信した端末５に対して閲覧可能にする。
【００５３】
記憶部４０のメッセージ記憶部４１には、電子カタログ２２１Ｘ，２２１Ｙ，・・・ごとに、電子カタログ２２１Ｘ，２２１Ｙ，・・・に関連するメッセージ領域４１Ｘ，４１Ｙ，・・・を記憶する。例えば、メッセージ領域４１Ｘは、電子カタログ２２１Ｘに対応して、送信者と、商品と、メッセージとを対応付けて記憶する。
なお、メッセージ記憶部４１には、電子カタログ２２１Ｘ，２２１Ｙ，・・・に対応するグループごとに、メッセージ領域４１Ｘ，４１Ｙ，・・・が作成されて（後述する）、メッセージが蓄積されている。
外部サーバ２０８は、商品に関するコメント等が記憶されている。
【００５４】
次に、第２実施形態で作成する電子カタログについて説明する。
図１１は、第２実施形態に係る端末５の表示例を示す図である。
図１１（ａ）は、電子カタログ２２１Ｘの商品掲載ページを示す。例えば、電子カタログ作成部２１２は、電子カタログ２２１Ｘを作成する。商品掲載ページは、商品に関する情報と、メッセージアイコン２７１ｂと、評価アイコン２７１ｃとからなる。電子カタログ作成処理は、掲載された商品ごとにメッセージアイコン２７１ｂと、評価アイコン２７１ｃとが設けられていることを除き、第１実施形態（図３及び図６）と同様である。
メッセージアイコン２７１ｂは、商品ごとに設定されている。このメッセージアイコン２７１ｂは、電子カタログ２２１Ｘ及び各商品に対応している。また、メッセージアイコン２７１ｂには、メッセージサーバ２０３のＵＲＩと、電子カタログ２２１Ｘ及び各商品を特定可能な識別情報とを含むデータが関連付けられている。
評価アイコン２７１ｃは、商品ごとに設定されている。また、評価アイコン２７１ｃは、各商品に対応しており、電子カタログサーバ２０１のＵＲＩと、各商品を特定可能な識別情報とを含むデータが関連付けられている。
端末５のユーザは、表示されている電子カタログ２２１Ｘのメッセージアイコン２７１ｂや評価アイコン２７１ｃを選択することで、メッセージを共有したり、評価を見たりできる。
【００５５】
＜メッセージ閲覧処理＞
図１１（ｂ）は、メッセージアイコン２７１ｂが選択された際の表示例である。ここで表示されるメッセージは、メッセージアイコン２７１ｂに対応する商品に関連するメッセージである。
このように、端末５でメッセージを閲覧するメッセージ閲覧処理について説明する。
図１２は、第２実施形態に係る電子カタログシステム２００でのメッセージ閲覧処理のフローチャートである。
端末５において、電子カタログ２２１Ｘのメッセージアイコン２７１ｂの選択をユーザから受け付けることで、端末５が商品メッセージ閲覧依頼データをメッセージサーバ２０３に対して送信する。
Ｓ２５０において、メッセージサーバ２０３の制御部２３０（商品メッセージ閲覧依頼受信部２３５）は、商品メッセージ閲覧依頼データを受信する。
Ｓ２５１において、制御部２３０は、その商品に関するメッセージを、メッセージ記憶部４１から抽出する。具体的には、制御部２３０は、メッセージ記憶部４１のメッセージ領域４１Ｘ，４１Ｙ，・・・の中から、その商品に関するメッセージを抽出する。
Ｓ２５２において、制御部２３０（商品メッセージ閲覧許可部２３７）は、抽出したメッセージを、端末５で閲覧可能にする。その後、制御部２３０は、本処理を終了する。
【００５６】
このように、メッセージサーバ２０３は、電子カタログ２２１Ｘに対応するメッセージ領域４１Ｘに加えて、他のメッセージ領域４１Ｙ，・・・に記憶されている商品に関するメッセージを抽出して端末５で閲覧可能にする。よって、端末５のユーザは、商品に関する多くのメッセージを見ることができる。
また、メッセージサーバ２０３のメッセージ記憶部４１は、電子カタログを介したプレゼントをする際に用いるので、信頼性のあるメッセージが登録されている可能性が高い。よって、電子カタログシステム２００は、端末５のユーザにとって、商品の選択に有用なメッセージを提供できる。
【００５７】
＜メッセージ登録処理＞
次に、電子カタログ２２１Ｘが表示されている端末５において入力されたメッセージを登録するメッセージ登録処理について説明する。なお、他の電子カタログ２２１Ｙ，・・・が表示されている端末５においても、同様の処理を行うことができる。
図１３は、第２実施形態に係る電子カタログシステム２００でのメッセージ登録処理のフローチャートである。
端末５のユーザは、メッセージを登録する場合には、端末５を操作して登録したいメッセージを入力する。端末５の制御部は、「登録」ボタンの選択を受け付けることで、入力されたメッセージをメッセージサーバ２０３に対して送信する。
Ｓ２６０において、メッセージサーバ２０３の制御部２３０（メッセージ受信部３１）は、端末５からメッセージを受信する。
Ｓ２６１において、制御部２３０は、電子カタログ２２１Ｘのメッセージ領域４１Ｘが作成済であるか否かを判断する。メッセージ領域４１Ｘが作成済である場合（Ｓ２６１：ＹＥＳ）には、制御部２３０は、処理をＳ２６３に移す。他方、メッセージ領域４１Ｘが作成済ではない場合（Ｓ２６１：ＮＯ）には、制御部２３０は、処理をＳ２６２に移す。
Ｓ２６２において、制御部２３０（メッセージ領域作成部３２）は、電子カタログ２２１Ｘのメッセージ領域４１Ｘを記憶部４０（メッセージ記憶部４１）に作成する。
Ｓ２６３において、制御部２３０（メッセージ登録部３３）は、電子カタログ２２１Ｘのメッセージ領域４１Ｘに、受信したメッセージと、商品とを登録する。その後、制御部２３０は、本処理を終了する。
【００５８】
＜評価閲覧処理＞
図１１（ｃ）は、評価アイコン２７１ｃが選択された際の表示例である。ここで表示される評価データは、評価アイコン２７１ｃに対応付けられた商品に関連するものである。
このように、端末５に商品に関する評価を表示する評価閲覧処理について説明する。
図１４は、第２実施形態に係る電子カタログシステム２００での評価閲覧処理のフローチャートである。
端末５において、評価アイコン２７１ｃの選択をユーザから受け付けることで、端末５が評価依頼データを電子カタログサーバ２０１に対して送信する。
Ｓ２７０において、電子カタログサーバ２０１の制御部２１０（商品評価依頼受信部２１８）は、評価依頼データを受信する。
Ｓ２７１において、制御部２１０は、その商品に関するコメントを、通信ネットワークＮを介して接続された外部サーバ２０８から抽出する。抽出されたコメントには、その商品の様々な情報がある。
Ｓ２７２において、制御部２１０は、抽出したコメントを分析する。分析は、例えば、その商品に関する記述中に含まれると予想されるワードを、高評価のものと、低評価のものとを予め設定しておき、コメントにどちらのワードが含まれるかにより、高評価と低評価とを判断する。
Ｓ２７３において、制御部２１０（商品評価閲覧許可部２１９）は、判断結果を割合で示した評価データを、端末５で閲覧可能にする。その後、制御部２１０は、本処理を終了する。
【００５９】
このようにすることで、贈り主Ａ〜Ｃ、受け主Ｘのグループの範囲を超えてメッセージを共有できる。特に、商品に関するメッセージは、その商品を選択しようか否か迷っている受け主Ｘに対して、その商品を決定させるためのツールになりうる。また、電子カタログシステム２００は、外部サーバ２０８に記憶された商品に関する情報から、その商品が有用であるか否かを分析できる。大量の情報に基づく分析により、評価の信頼性を向上できる。
【００６０】
このように、第２実施形態の電子カタログシステム２００によれば、以下のような効果がある。
（１）贈り主Ａからの依頼により、商品に対応してメッセージを入力可能なメッセージアイコン２７１ｂを含んだ電子カタログ２２１Ｘを作成することができる。端末５では、メッセージアイコン２７１ｂを選択してメッセージを入力することで、そのメッセージを商品のデータと共に受信して、メッセージ領域４１Ｘに商品のデータに対応付けてメッセージを記憶できる。
（２）商品に関するメッセージの閲覧依頼データを、電子カタログ２２１Ｘが表示されている端末５から受信した場合には、メッセージ領域４１Ｘ，４１Ｙ，・・・に記憶されているその商品に対応するメッセージを、その端末５から閲覧できる。
【００６１】
（３）商品に関する評価依頼データを、電子カタログ２２１Ｘが表示されている端末５から受信した場合には、その商品に対応するコメントを外部サーバ２０８から抽出して分析することで、その商品の評価を、その端末５から閲覧できる。
通信ネットワークＮを介して接続される外部サーバ２０８に含む、商品に関する様々なコメントを分析して、評価を端末５に出力できる。
また、受け主Ｘは、その評価を、商品を選択する参考にできる。
【００６２】
（４）電子カタログサーバ２０１と、メッセージサーバ２０３とから構成するようにすることで、メッセージサーバ２０３を、既存のＳＮＳサーバを利用して作成できる。よって、メッセージサーバ２０３の構築にかかる時間の短縮を図ることができる。また、メッセージサーバ２０３の運用等に関する労力を削減できる。
【００６３】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００６４】
（変形形態）
（１）第２実施形態では、メッセージサーバ２０３を、ＳＮＳサーバを用いて説明した。しかし、第１実施形態のメッセージサーバ３がＳＮＳサーバであってもよい。また、メッセージサーバ２０３がＳＮＳサーバでなくてもよい。
ＳＮＳサーバである場合には、それらの処理を外部のＳＮＳサーバに委ねればよく、電子カタログシステム２００全体としての処理の負荷が軽減される。また、ＳＮＳサーバである場合に、ＳＮＳサーバが有するサービス（例えば、友達リスト等）を連携してもよい。そのようにすることで、端末５のユーザの入力に関する労力を削減できる。
（２）各実施形態では、電子カタログサーバ１と、メッセージサーバ３とは、別サーバであるとして説明した。しかし、メッセージサーバ３の機能を電子カタログサーバ１が有するものにし、１つのサーバで処理をしてもよい。
【００６５】
（３）各実施形態では、電子カタログ２１Ｘに対応するメッセージ領域４１Ｘの作成を、メッセージの登録依頼を初めて受信した場合に作成するものとして説明した。しかし、メッセージ領域４１Ｘの作成を、電子カタログ２１Ｘを作成した時に行ってもよい。
（４）各実施形態では、受け主Ｘは、電子カタログ２１Ｘの到着を、電子メールにより通知するものとして説明した。しかし、それ以外の方法によって行ってもよい。
【００６６】
（５）第１実施形態では、メッセージアイコン７１ｂを電子カタログ２１Ｘの各商品掲載ページに１つ設定するものとして説明した。しかし、メッセージアイコン７１ｂを、表紙等、電子カタログ２１Ｘに少なくとも１つ設けてあれば、それに限定されない。また、受け主Ｘが商品の申込をした場合に、電子カタログサーバ１の制御部１０が、申込がされた商品と、申込日時とのデータを、メッセージサーバ３に送信することで、電子カタログシステム１００が自動的に、メッセージを登録してもよい。
（６）第２実施形態では、分析対象を、外部サーバ２０８から抽出したコメントによって行うものを説明した。しかし、外部サーバ２０８のコメントに加えて、メッセージサーバ２０３のメッセージを含めて分析対象にしてもよい。
【符号の説明】
【００６７】
１，２０１  電子カタログサーバ
３，２０３  メッセージサーバ
５，５Ａ，５Ｂ，５Ｃ，５Ｘ  端末
１０，３０，２１０，２３０  制御部
１１  依頼データ受信部
１２，２１２  電子カタログ作成部
１３  電子カタログ送信部
１７  届先データ受信部
２０，４０，２２０  記憶部
２１，２２１  電子カタログ記憶部
２１Ｘ，２１Ｙ，２２１ｘ，２２１ｙ  電子カタログ
２２  グループ記憶部
３１  メッセージ受信部
３２  メッセージ領域作成部
３３  メッセージ登録部
３５  閲覧依頼データ受信部
３６  送信者判断部
３７  閲覧許可部
４１Ｘ，４１Ｙ  メッセージ領域
６０  メニュー画面
７０ａ  動画
７１ｂ、２７１ｂ  メッセージアイコン
１００，２００  電子カタログシステム
２０８  外部サーバ
２１８  商品評価依頼受信部
２１９  商品評価閲覧許可部
２３５  商品メッセージ閲覧依頼受信部
２３７  商品メッセージ閲覧許可部
２７１ｃ  評価アイコン
Ｎ    通信ネットワーク
【図１】
2014203439.tif 000003
【図２】
2014203439.tif 000004
【図３】
2014203439.tif 000005
【図４】
2014203439.tif 000006
【図５】
2014203439.tif 000007
【図６】
2014203439.tif 000008
【図７】
2014203439.tif 000009
【図８】
2014203439.tif 000010
【図９】
2014203439.tif 000011
【図１０】
2014203439.tif 000012
【図１１】
2014203439.tif 000013
【図１２】
2014203439.tif 000014
【図１３】
2014203439.tif 000015
【図１４】
2014203439.tif 000016